(57)【要約】【課題】口および口周辺を覆い隠したい場合の利用に適しているマスクを提供する。【解決手段】利用者（１）の口（２）および口周辺（３）を覆うマスク本体（１１）と、マスク本体（１１）の左右に設けられ、利用者（１）の耳（４）に掛けられる耳掛け部（１２）とを備え、マスク本体（１１）の中央部分に設けられた開口（１３）と、開口（１３）をマスク本体（１１）の表側（１１ａ）から開閉可能に覆う蓋片（１４）とを備えている。少し物を飲食したくなったときには、蓋片１４を開いて開口１３の覆いを外し、開口１３を通じて飲食を行うことが可能になる。【選択図】図２
2017002430.tif 000002
【特許請求の範囲】
【請求項１】
利用者（１）の口（２）および口周辺（３）を覆うマスク本体（１１）と、このマスク本体（１１）の左右に設けられ、利用者（１）の耳（４）に掛けられる耳掛け部（１２）とを備えたマスクであって、
前記マスク本体（１１）の中央部分に設けられた開口（１３）と、
この開口（１３）をマスク本体（１１）の表側（１１ａ）から開閉可能に覆う蓋片（１４）と、
を備えたことを特徴とするマスク。
【発明の詳細な説明】
【技術分野】
【０００１】
本発明は、マスクに関するものである。
【背景技術】
【０００２】
一般に、マスクは、利用者の口および口周辺を覆うマスク本体と、このマスク本体の左右に設けられ、利用者の耳に掛けられる耳掛け部とを備えている。
【０００３】
このようなマスクは、通常は花粉などを防ぐためや風邪をひいた際などに利用される。
しかし、何らかの理由により口元等、口および口周辺（少なくとも口周辺。以下同じ）を覆い隠したい場合に利用されることもある。例えば、口元の化粧をせずに外出したい場合、口周辺の整形手術直後、先天性の病気、等々、口および口周辺を覆い隠したい場合に利用されることもある。
【０００４】
従来のマスクは、これを装着している際に、少し物を飲食したくなったとき、少なくとも片側の耳掛け部を外したり、マスク本体を上下にずらしたりしてマスク本体による口の覆いを外す必要がある。そのため、口や口周辺の露出面積が大きくなるという難点があった。したがって、従来のマスクは、口および口周辺を覆い隠したい場合の利用には適していなかった。
【０００５】
なお、従来、特許文献１に見られるように、顔面との当接部に隙間が生じ難くする目的で、マスク本体（２０）のシートを２枚構成とし、１枚は通気性の高い不織布を用いた外側シート（３０）とし、もう１枚を鼻・口を挿入する開口部（６０）を有する高伸縮性の内側シート（４０）とし、この２枚のシートを重ね合わせたマスクが知られている。
【０００６】
このマスクは、内側シート（４０）に開口部（６０）が設けられているが、この開口部（６０）は外側シート（３０）で常時固定的に覆われている。
したがって、このマスクを装着している際に、少し物を飲食したくなったときは、やはり、少なくとも片側の耳掛け部を外したり、マスク本体を上下にずらしたりしてマスク本体による口の覆いを外す必要がある。そのため、口や口周辺の露出面積が大きくなるという難点があることに変わりは無い。
【先行技術文献】
【特許文献】
【０００７】
【特許文献１】特開２０１５−８７６７号公報
【発明の概要】
【発明が解決しようとする課題】
【０００８】
本発明が解決しようとする課題は、主として、口および口周辺を覆い隠したい場合の利用に適しているマスクを提供することである。
【課題を解決するための手段】
【０００９】
上記課題を解決するために本発明のマスクは、
利用者の口および口周辺を覆うマスク本体と、このマスク本体の左右に設けられ、利用者の耳に掛けられる耳掛け部とを備えたマスクであって、
前記マスク本体の中央部分に設けられた開口と、
この開口をマスク本体の表側から開閉可能に覆う蓋片と、
を備えたことを特徴とする。
このマスクによれば、これを装着している際に、少し物を飲食したくなったときには、耳掛け部を外したりマスク本体を上下にずらしたりすることなく、蓋片を開いてマスク本体の中央部分に設けられた開口の覆いを外し、この開口を通じて飲食を行うことが可能になる。
このマスク本体中央部分の開口は、少し物を飲食するための開口とすれば足りるから、大きな開口（少なくとも従来のように耳掛け部を外したりマスク本体を上下にずらしたりした場合に露出される面積と同程度の大きさの開口）とする必要は無い。
したがって、この発明のマスクによれば、これを装着した状態で飲食する際の口および口周辺の露出面積を小さくできるため、この発明のマスクは、口および口周辺を覆い隠したい場合の利用に適したものとなる。
【図面の簡単な説明】
【００１０】
【図１】本発明に係るマスクの実施の形態を示す図で、（ａ）は正面図、（ｂ）は背面図、（ｃ）は図（ａ）におけるｃ−ｃ断面図。
【図２】（ａ）（ｂ）はそれぞれ使用状態を示す正面図。
【発明を実施するための形態】
【００１１】
以下、本発明に係るマスクの実施の形態について図面を参照して説明する。なお、各図において、同一部分ないし相当する部分には、同一の符号を付してある。
【００１２】
図１，図２に示すように、この実施の形態のマスク１０は、利用者１の口２および口周辺３を覆うマスク本体１１と、このマスク本体１１の左右に設けられ、利用者１の耳４に掛けられる耳掛け部１２とを備えている。
【００１３】
また、このマスク１０は、マスク本体１１の中央部分に設けられた開口１３と、この開口１３をマスク本体１１の表側１１ａから開閉可能に覆う蓋片１４とを備えている。
【００１４】
このマスク１０によれば、例えば図２に示すように、これを装着している際に、少し物を飲食したくなったときには、耳掛け部１２を外したりマスク本体１１を上下にずらしたりすることなく、例えば図２（ｂ）に示すように蓋片１４を開いてマスク本体１１の中央部分に設けられた開口１３の覆いを外し、この開口１３を通じて飲食を行うことが可能になる。例えば図２（ｂ）に示すようにストロー２０を用いて飲み物を飲んだり、開口１３を通る程度の小さな食べ物（例えばあめ玉、ガム、ビスケット、クラッカー等々（図示せず））を食べることが可能となる。
【００１５】
このマスク本体中央部分の開口１３は、少し物を飲食するための（例えば上記ストロー２０や小さな食べ物を通すための）開口とすれば足りるから、大きな開口（少なくとも従来のように耳掛け部１２を外したりマスク本体１１を上下にずらしたりした場合に露出される面積と同程度の大きさの開口）とする必要は無い。
【００１６】
したがって、このマスク１０によれば、これを装着した状態で飲食する際の口および口周辺の露出面積を小さくできるため、このマスク１０は、口２および口周辺を覆い隠したい場合の利用に適したものとなる。
【００１７】
マスク本体１１および耳掛け部１２の構造、材質は、公知の構造、材質を採用することができる。
マスク本体１１の大きさ、形状は、少なくとも口２および口周辺を覆うことができる大きさ、形状であれば任意である。図２に示すように、鼻５を覆う大きさ、形状とすることもできる。
【００１８】
蓋片１４は公知の材料で構成でき、マスク本体１１を構成し得る材料（例えば、ガーゼ、不織布、その他）で構成することができる。マスク本体１１と同一材料で構成することもできる。
【００１９】
開口１３の形状は少し物を飲食することができる形状であれば任意であり、矩形に限らず、円形や楕円形等とすることもできる。
【００２０】
蓋片１４を開閉可能とする構造は、蓋片１４の周辺部の一部をマスク本体１１に固定することによって得ることができる。例えば、図示のように、蓋片１４の一辺（図１（ａ）においては左辺）をマスク本体１１に逢着しても良い。逢着部（固定部）を符号１４ｂで示す。
【００２１】
なお、蓋片１４を開閉可能とする構造は、蓋片１４の周辺部の一部をマスク本体１１に固定することによって得ることができるから、蓋片１４の上部、下部、右部のいずれかをマスク本体１１に固定する構造としても良い。。
【００２２】
蓋片１４を閉じ状態に仮固定する構造を採用することもできる。例えば、図示のように、蓋片１４とマスク本体１１との固定部１１ｂの反対側（図１（ａ）においては右辺）において蓋片１４とマスク本体１１とに面ファスナー１４ｆ、１１ｆを設けてもよい。
【００２３】
仮固定構造ととして面ファスナーを用いる場合、面ファスナーは開口１３の周辺の一部（図１（ａ）においては右部）のみに設けることもできるし、全周に設けることもできる。
【００２４】
以上、本発明の実施の形態について説明したが、本発明は上記の実施の形態に限定されるものではなく、本発明の要旨の範囲内において適宜変形実施可能である。
【符号の説明】
【００２５】
１：  利用者
２：  口
３：  口周辺
４：  耳
１０：  マスク
１１：  マスク本体
１２：  耳掛け部
１３：  開口
１４：  蓋片
【図１】
2017002430.tif 000003
【図２】
2017002430.tif 000004
【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
利用者（１）の口（２）および口周辺（３）を覆うマスク本体（１１）と、このマスク本体（１１）の左右に設けられ、利用者（１）の耳（４）に掛けられる耳掛け部（１２）とを備えたマスクであって、
前記マスク本体（１１）の中央部分に設けられた開口（１３）と、
この開口（１３）をマスク本体（１１）の表側（１１ａ）から開閉可能に覆う蓋片（１４）と、を備え、
前記蓋片（１４）はマスク本体（１１）と別体の蓋片で構成し、蓋片（１４）の左辺または右辺をマスク本体（１１）に固定することによって横開きに開閉可能とし、
蓋片（１４）を閉じ状態に仮固定するために、蓋片（１４）とマスク本体（１１）との固定部（１４ｂ）の反対側において蓋片（１４）とマスク本体（１１）とに面ファスナー（１４ｆ、１１ｆ）を設けたことを特徴とするマスク。
【手続補正２】
【補正対象書類名】明細書
【補正対象項目名】０００９
【補正方法】変更
【補正の内容】
【０００９】
上記課題を解決するために本発明のマスクは、
利用者の口および口周辺を覆うマスク本体と、このマスク本体の左右に設けられ、利用者の耳に掛けられる耳掛け部とを備えたマスクであって、
前記マスク本体の中央部分に設けられた開口と、
この開口をマスク本体の表側から開閉可能に覆う蓋片と、を備え、
前記蓋片はマスク本体と別体の蓋片で構成し、蓋片の左辺または右辺をマスク本体に固定することによって横開きに開閉可能とし、
蓋片を閉じ状態に仮固定するために、蓋片とマスク本体との固定部の反対側において蓋片とマスク本体とに面ファスナーを設けたことを特徴とする。
このマスクによれば、これを装着している際に、少し物を飲食したくなったときには、耳掛け部を外したりマスク本体を上下にずらしたりすることなく、蓋片を開いてマスク本体の中央部分に設けられた開口の覆いを外し、この開口を通じて飲食を行うことが可能になる。
このマスク本体中央部分の開口は、少し物を飲食するための開口とすれば足りるから、大きな開口（少なくとも従来のように耳掛け部を外したりマスク本体を上下にずらしたりした場合に露出される面積と同程度の大きさの開口）とする必要は無い。
したがって、この発明のマスクによれば、これを装着した状態で飲食する際の口および口周辺の露出面積を小さくできるため、この発明のマスクは、口および口周辺を覆い隠したい場合の利用に適したものとなる。
【手続補正３】
【補正対象書類名】明細書
【補正対象項目名】００２１
【補正方法】変更
【補正の内容】
【００２１】
なお、蓋片１４を横開きに開閉可能とする構造は、蓋片１４の左辺または右辺をマスク本体１１に固定することによって得ることができるから、蓋片１４の左辺または右辺のいずれかをマスク本体１１に固定する構造とする。
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
利用者（１）の口（２）および口周辺（３）を覆うマスク本体（１１）と、このマスク本体（１１）の左右に設けられ、利用者（１）の耳（４）に掛けられる耳掛け部（１２）とを備えたマスクであって、
前記マスク本体（１１）の中央部分に設けられた開口（１３）と、
この開口（１３）をマスク本体（１１）の表側（１１ａ）から開閉可能に覆う蓋片（１４）と、を備え、
前記蓋片（１４）はマスク本体（１１）と別体の蓋片で構成し、蓋片（１４）の左辺または右辺をマスク本体（１１）に固定することによって横開きに開閉可能とし、
蓋片（１４）を閉じ状態に仮固定するために、蓋片（１４）とマスク本体（１１）との固定部（１４ｂ）の反対側において蓋片（１４）とマスク本体（１１）とに面ファスナー（１４ｆ、１１ｆ）を設け、
前記開口（１３）は、左右方向の長さ（Ｌ１）を前記マスク本体（１１）の左右方向の長さ（Ｌ２）の１／３以下、かつ、上下方向の高さ（Ｈ１）を前記マスク本体（１１）の高さ（Ｈ２）の１／３以下としたことを特徴とするマスク。
【手続補正２】
【補正対象書類名】明細書
【補正対象項目名】０００９
【補正方法】変更
【補正の内容】
【０００９】
上記課題を解決するために本発明のマスクは、
利用者の口および口周辺を覆うマスク本体と、このマスク本体の左右に設けられ、利用者の耳に掛けられる耳掛け部とを備えたマスクであって、
前記マスク本体の中央部分に設けられた開口と、
この開口をマスク本体の表側から開閉可能に覆う蓋片と、を備え、
前記蓋片はマスク本体と別体の蓋片で構成し、蓋片の左辺または右辺をマスク本体に固定することによって横開きに開閉可能とし、
蓋片を閉じ状態に仮固定するために、蓋片とマスク本体との固定部の反対側において蓋片とマスク本体とに面ファスナーを設け、
前記開口は、左右方向の長さを前記マスク本体の左右方向の長さの１／３以下、かつ、上下方向の高さを前記マスク本体の高さの１／３以下としたことを特徴とする。
このマスクによれば、これを装着している際に、少し物を飲食したくなったときには、耳掛け部を外したりマスク本体を上下にずらしたりすることなく、蓋片を開いてマスク本体の中央部分に設けられた開口の覆いを外し、この開口を通じて飲食を行うことが可能になる。
このマスク本体中央部分の開口は、少し物を飲食するための開口とすれば足りるから、大きな開口（少なくとも従来のように耳掛け部を外したりマスク本体を上下にずらしたりした場合に露出される面積と同程度の大きさの開口）とする必要は無い。
したがって、この発明のマスクによれば、これを装着した状態で飲食する際の口および口周辺の露出面積を小さくできるため、この発明のマスクは、口および口周辺を覆い隠したい場合の利用に適したものとなる。
【手続補正３】
【補正対象書類名】明細書
【補正対象項目名】００１５
【補正方法】変更
【補正の内容】
【００１５】
このマスク本体中央部分の開口１３は、少し物を飲食するための（例えば上記ストロー２０や小さな食べ物を通すための）開口とすれば足りるから、大きな開口（少なくとも従来のように耳掛け部１２を外したりマスク本体１１を上下にずらしたりした場合に露出される面積と同程度の大きさの開口）とする必要は無い。
開口１３は、図１（ｂ）に示すように、左右方向の長さＬ１がマスク本体１１の左右方向の長さＬ２の１／３以下、かつ、上下方向の高さＨ１がマスク本体１１の高さＨ２の１／３以下となっている。
【手続補正４】
【補正対象書類名】図面
【補正対象項目名】図１
【補正方法】変更
【補正の内容】
【図１】
2017002430.tif 000005